【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
a)  少なくとも一種のアゾベンゼン系色素、
b)  少なくとも一種のメソゲン基であって、a)と同一であってもよいもの、
c)  必要に応じ、さらなるモノマー単位、
d)  必要に応じ、溶解度改良性モノマー単位、
を含有する電気光学部材の製造における、非線形光学特性を有する側鎖高分子の使用。
【請求項２】
a)  少なくとも一種のアゾベンゼン色素、
b)  少なくとも一種の異方性形態含有基、
c)  (VI)または(VIa)から選択される少なくとも一種のモノマー、
【化１】
2005504170.tif 000001
［式中、
Ｒ'およびＲ''は互いに独立して、ＣｎＨ２ｎ＋１またはＣｎＨ２ｎ−ＯＨ（ここで、ｎ＝１〜１０）を表し、若しくは一緒になって、−ＣｎＨ２ｎ架橋（ここで、ｎ＝２〜６）、−（Ｃ２Ｈ４−Ｏ）ｎ−Ｃ２Ｈ４架橋（ここで、ｎ＝１〜５）、−Ｃ２Ｈ４Ｎ（ＣｎＨ２ｎ＋１）−Ｃ２Ｈ４架橋（ここで、ｎ＝１〜６）を表し、
Ｒ＝Ｈまたはメチルである。］、
【化２】
2005504170.tif 000002
［式中、
Ｒ'''は、
−ＣｎＨ２ｎ−ＯＨ基（ここで、ｎ＝１〜１０）、
−（Ｃ２Ｈ４−Ｏ）ｎ−Ｈ基（ここで、ｎ＝２〜４）、
−ＣｎＨ２ｎ−Ｃ（＝Ｏ）ＮＲ''''Ｒ'''''基
（ここで、ｎ＝２〜１０であって、
Ｒ''''およびＲ'''''は互いに独立して、ＣｎＨ２ｎ＋１またはＣｎＨ２ｎ−ＯＨ（ここで、ｎ＝１〜１０）を表し、または一緒になって、−ＣｎＨ２ｎ架橋（ここで、ｎ＝２〜６）、−（Ｃ２Ｈ４−Ｏ）ｎ−Ｃ２Ｈ４架橋（ここで、ｎ＝１〜５）、−Ｃ２Ｈ４−Ｎ（ＣｎＨ２ｎ＋１）−Ｃ２Ｈ４架橋（ここで、ｎ＝１〜６）を表す）
を表し、
Ｒ＝Ｈまたはメチルである。］
d)  必要に応じ、目標とする、材料中の色素および／またはメソゲンの含有量の低減のために組み込まれるさらなるモノマー単位、
を含有する電気光学部材の製造における、非線形光学特性を有する側鎖高分子の使用。
【請求項３】
請求項１または２に記載の側鎖高分子を溶解形態で用いることを特徴とする均一膜の製造方法。
【請求項４】
請求項１〜３のいずれかに記載の非線形光学側鎖高分子に基づく電気光学部材。
【請求項５】
非線形光学側鎖高分子を電場によって、必要に応じさらに光の作用によって分極化することを特徴とする請求項１〜４のいずれかに記載の電気光学部材の製造方法。
【手続補正２】
【補正対象書類名】明細書
【補正対象項目名】００９３
【補正方法】変更
【補正の内容】
【００９３】
電気光学係数に正確な値を付与するため、測定用配置の精度をＬｉＮｂＯ３結晶によって試験した。文献値を１０％未満の偏差で再現できた。さらに、単に試料を回転させ、アルミニウム電極を直接反射鏡として用いるだけで、試料の伸張、従って測定の歪曲をもたらし得るほど電わい作用が強力であるか否かを確認できた。その歪曲は１％より小さく、従って、測定結果に重大な影響はない。
本発明の好ましい態様を以下に示す。
〔１〕
a)  少なくとも一種のアゾベンゼン系色素、
b)  少なくとも一種のメソゲン基であって、a)と同一であってもよいもの、
c)  必要に応じ、さらなるモノマー単位、
d)  必要に応じ、溶解度改良性モノマー単位、
を含有する電気光学部材の製造における、非線形光学特性を有する側鎖高分子の使用。
〔２〕
a)  少なくとも一種のアゾベンゼン色素、
b)  少なくとも一種の異方性形態含有基、
c)  (VI)または(VIa)から選択される少なくとも一種のモノマー、
【化１】
2005504170.tif 000003
［式中、
Ｒ'およびＲ''は互いに独立して、ＣｎＨ２ｎ＋１またはＣｎＨ２ｎ−ＯＨ（ここで、ｎ＝１〜１０、好ましくはｎ＝１〜３）を表し、若しくは一緒になって、−ＣｎＨ２ｎ架橋（ここで、ｎ＝２〜６、好ましくはｎ＝４〜５）、−（Ｃ２Ｈ４−Ｏ）ｎ−Ｃ２Ｈ４架橋（ここで、ｎ＝１〜５、好ましくはｎ＝１〜３）、−Ｃ２Ｈ４Ｎ（ＣｎＨ２ｎ＋１）−Ｃ２Ｈ４架橋（ここで、ｎ＝１〜６、好ましくはｎ＝１〜３）を表し、
Ｒ＝Ｈまたはメチルである。］、
【化２】
2005504170.tif 000004
［式中、
Ｒ'''は、
−ＣｎＨ２ｎ−ＯＨ基（ここで、ｎ＝１〜１０、好ましくはｎ＝２〜３）、
−（Ｃ２Ｈ４−Ｏ）ｎ−Ｈ基（ここで、ｎ＝２〜４、好ましくはｎ＝２）、
−ＣｎＨ２ｎ−Ｃ（＝Ｏ）ＮＲ''''Ｒ'''''基
（ここで、ｎ＝２〜１０、好ましくはｎ＝２〜５、特に好ましくはｎ＝２であって、
Ｒ''''およびＲ'''''は互いに独立して、ＣｎＨ２ｎ＋１またはＣｎＨ２ｎ−ＯＨ（ここで、ｎ＝１〜１０、好ましくはｎ＝１〜３）を表し、または一緒になって、−ＣｎＨ２ｎ架橋（ここで、ｎ＝２〜６、好ましくはｎ＝４〜５）、−（Ｃ２Ｈ４−Ｏ）ｎ−Ｃ２Ｈ４架橋（ここで、ｎ＝１〜５、好ましくはｎ＝１〜３）、−Ｃ２Ｈ４−Ｎ（ＣｎＨ２ｎ＋１）−Ｃ２Ｈ４架橋（ここで、ｎ＝１〜６、好ましくはｎ＝１〜３）を表す）
を表し、
Ｒ＝Ｈまたはメチルである。］
d)  必要に応じ、目標とする、材料中の色素および／またはメソゲンの含有量の低減のために混入するさらなるモノマー単位、
を含有する電気光学部材の製造における、非線形光学特性を有する側鎖高分子の使用。
〔３〕
基a)および／またはb)はヒドロキシエチル基を有し、c)は場合により除かれ得る〔１〕または〔２〕に記載の側鎖高分子の使用。
〔４〕
色素分子は、
a)  ハイパー分極率βが通常（１００〜５０００）×１０−３０ esu、好ましくは５００×１０−３０ esuより大きく、
b)  光の作用により、分極場で色素分子の易動性および／または配向が、秩序パラメータ<cos3 θ>で読み取られる全平均として通常１５〜５０％向上するように、吸収光が線形トランスおよび角シス状態の間の異性化サイクルを誘発するという意味で光活性がある、
請求項１〜３のいずれかに記載の使用。
〔５〕
メソゲン分子は、ファン・デル・ワールス半径で測定される長さ−幅比率が少なくとも４、好ましくは４〜６であることを特徴とする異方性形態を有する〔１〕〜〔４〕のいずれかに記載の使用。
〔６〕
色素およびメソゲンは、スペーサーによってポリマー鎖に結合している〔１〕〜〔５〕のいずれかに記載の使用。
〔７〕
側鎖高分子は、その分極化効率が光の作用によって上昇し得るという意味で光アドレス可能であることを特徴とする〔１〕〜〔６〕のいずれかに記載の使用。
〔８〕
側鎖高分子の膜は非晶状態である〔１〕〜〔７〕のいずれかに記載の使用。
〔９〕
導波構造として機能するフラット構造を製造するための〔１〕〜〔８〕のいずれかに記載の使用。
〔１０〕
〔１〕〜〔９〕のいずれかに記載の側鎖高分子を溶解形態で用いることを特徴とする均一膜の製造方法。
〔１１〕
〔１〕〜〔１０〕のいずれかに記載の非線形光学側鎖高分子に基づく電気光学部材、好ましくは変調装置。
〔１２〕
〔１〕〜〔１１〕のいずれかに記載の非線形光学側鎖高分子に基づく電気光学部材、好ましくは圧電センサー。
〔１３〕
〔１〕〜〔１２〕のいずれかに記載の非線形光学側鎖高分子に基づく電気光学部材、好ましくは電わいアクチュエータ。
〔１４〕
非線形光学側鎖高分子を電場によって、必要に応じさらに光の作用によって分極化することを特徴とする〔１〕〜〔１３〕のいずれかに記載の電気光学部材の製造方法。